(57)【要約】      （修正有）【課題】年を重ねることによって発生する尿漏れや、片手が不自由で使えない人、指が固くなって自由がきかなくなっている人などに対応できる男性向けパンツを提供する。【解決手段】男性の股間物である陰茎と陰嚢を別々の空間に格納できる構造にし、パンツ本体部分の前面中央には陰茎用の穴が空けてあり、下部分には陰嚢を格納できるように３Ｄ形状７にし、それらの前面に陰茎を収納できるサブポケット付の布４が縫い付けてあり、その布４（カンガルーポケットと命名）の上端辺部分５は伸縮できる構造にしてあり、かつ、オプションとしてカンガルーポケットにはファスナー１０のスライダーを下から引くと開ける構造にしてあり、カンガルーポケットには、少々の尿漏れに対応する吸収パットを取り付けできる。【選択図】図１
0003203849.tif 000002
【実用新案登録請求の範囲】
【請求項１】
対象のパンツは、
（１）男性の股間物である陰茎と陰嚢を別々の空間に格納できる構造にするために、
（２）パンツ本体部分の前面中央には陰茎用の穴が空けてあり（図３、図４）、
下部分には陰嚢を格納できるように３Ｄ形状にし、それらの前面に陰茎を収納できるサブポケット付の布（図６）が縫い付けてあり、その布（カンガルーポケットと命名）の上端辺部分（図７の５）は伸縮できる構造にしてあり、
（３）かつ、オプションとしてカンガルーポケットにはファスナーのスライダーを下から引くと開ける構造にしてあり、
（４）カンガルーポケットには、少々の尿漏れも吸収パットを取り付けできる構造
を特徴とする失禁にも対応できる男性向けパンツ。
【考案の詳細な説明】
【技術分野】
【０００１】この発案は、男性向けの健常者用パンツであると同時に少々の尿漏れる人にも対応できるパンツ以下（Ｑｕｉｋパンツと言う）である。
【背景技術】
【０００２】Ｑｕｉｋパンツは市販されているパンツと異なり、陰茎と陰嚢を別々の空間に格納する構造にしてある。人体の構造に合わせて、それぞれの３次元物体を包むような構造に、また小用時に操作性の観点から出し入れを容易に、片手が不自由な人対応や、小用後に尿管に残る尿を放出できることや、少々の尿漏れ対応等の構造にデザイン・縫製加工することで目的の男性用パンツを実現できた。
【考案の開示】
【考案が解決しようとする課題】
【０００３】本案は、
１．男性の陰茎と陰嚢を別々の空間に置くことで、それぞれから発散する汗、尿漏れ、匂いを陰茎、陰嚢、ボディ等に付けあわないようにしたい。
２．小用時に陰茎の出し入れ操作を素早くできるパンツ構造にしたい。
３．特に高齢になると動作が緩慢になり、かつ指先が多少不自由になるので容易に出し入れができるようにしたい。
４．利き手が左でも右手を使う方法と同じにできるようにしたい。
５．テーンエージャー世代から還暦世代以降まで履けるパンツにしたい。
６．健康人は夢精が出ることがあり、この事象により股間周り、陰茎、陰嚢等を濡れないようにしたい。
７．元気な男性の陰茎は一定の硬さがあるので、パンツを履いたときに上向き状態で保持できるが年齢を重ねた男性の陰茎は垂れ下がってしまう。陰茎と陰嚢を別々の空間に収納できるパンツにしたい。
８．少々の尿漏れを吸収でき、パンツを脱がなくとも尿吸収パットを交換できるパンツにし、尿漏れを気にしないで外出できるパンツにしたい。
９．陰茎や陰嚢の疾患で塗り薬や包帯などの治療に、又その養生に適したパンツにしたい。
１０．小用時に尿管に尿が残ったまま終了すると、陰茎をパンツの中に入れた直後に尿がでることがあるので、尿管を圧迫しない状態で小用ができるようにしたい。
【課題を解決するための手段】
【０００４】課題を解決できるパンツは身体の構造に合わせ、かつ着用時の操作性を重視したデザインにすることで実現できた。
構造的には、股間部分の陰嚢と陰茎を別々の空間に格納できるようにした。
Ｑｕｉｋパンツの構造は［図４］にあるようにパンツ本体中央に陰茎用の穴を設けた。
その前にはカンガルーポケットが縫い付けてある。
そのポケットの内側下部分に更に袋を付けてある。（図６の１１）
日常生活では腰をかがめたり、大股で歩いたり、駅の階段を２段づつ駆け上がったり等の運動がある。これによってそれぞれの部位の先端が左右前後に移動することがあり、陰茎が所定の穴から抜けないよう生地の特性を組み入れてデザインした。
小用の時には、ズボンのファスナーを下げると、指先がカンガルーポケットの端（図７の５）に当たり、その端辺を下げると陰茎に触れ、それを摘み出すことで放尿体勢になる。
これにはデザインだけでなく、生地の伸縮方向と組み合わせによって実現した。
また、オプションでカンガルーポケットに下から上に開くファスナーを取り付けることにより、尿道管を圧迫することなく、放尿することができ、かつ片手でもできるようになった。
【考案の効果】
【０００５】従来は股間物である陰茎と陰嚢をまとめてパンツの中に入れて置くしかなかった。
Ｑｕｉｋパンツにより、この２つを別々の領域に置くことが可能になった。
これにより９個の効果を確認することができた。
１．お互いに触れ合うことがないため股間がさわやかになった。
２．それぞれから発生させる汗、陰茎から出た尿を陰嚢や、毛、太ももなどに付着することがなくなった。
３．小用のときは、経路が短縮できかつ出し入れに短時間を実現できた。
４．左利きでも容易にできるようになった。かつ片手でもできるようになった。
５．カンガルーポケットの下部分（図６の１１）は袋状にしてあり、その部分に薄い小さな尿吸収パットを付けることでパンツが濡れなくなり、吸収パットを交換することができるのでさわやかを感じられるようになった。
６．パンツ本体とカンガルーポケット付により２重になっているため、小用後に陰茎から出る少量の尿は身体（股間の周り、太もも等）に付着することがなくなった。
７．小用の時、陰茎をストレート形状にできるため尿管も圧迫されない状態に保持できる。このことは小用後、陰嚢の後ろ側の尿道管を指で押し上げることで尿管の残尿を排出することができた。
８．陰茎や陰嚢の疾病で塗り薬をつけたときお互いが触れ合わないように保持できることや、陰茎に包帯を巻きつけたときに外れることなく保持できるようになった。
９．カンガルーポケット部分にファスナーが付けてあり、スライダーを上げると開き、陰茎を外に出し、尿管を圧迫することなく放尿ができた。
【考案を実施するための最良の形態】
【０００６】
【実施例】実施例について図を参照して説明する。【０００７】発案のＱｕｉｋパンツは陰茎と陰嚢を別々の空間に正しい姿勢で保持できる構造のパンツである。【０００８】図１は股間物である陰茎と陰嚢を別々に保管できるように作成したボクサー型Ｑｕｉｋパンツの正面図である。【０００９】図２は股間物である陰茎と陰嚢を別々に保管できるように作成したブリーフ型Ｑｕｉｋパンツの正面図である。【００１０】着用の手順として、Ｑｕｉｋパンツに両脚を入れて、腰の位置までずり上げる途中に陰茎を指で持ち上げて着用することで、Ｑｕｉｋパンツ本体側の陰茎用穴（窓口）から陰茎が顔を出すようになり、陰茎と陰嚢は所定の位置に納まる。【００１１】小用のときの手順は、カンガルーポケット上部分（図１の５）を指で下げることで陰茎に触れ、かつ指でつまむことで取り出すことができ、即放尿開始でき、更に小用後では指を離すことで陰茎が上向きに格納できる。（図７）【００１２】利き手が左利きの人も右利きと同じように違和感なく陰茎の出し入れができる。【００１３】陰茎の疾病治療で塗り薬をつけたり、包帯を取り付けた場合、陰茎が上下左右の移動がないので包帯が外れることがなくなった。【００１４】中年以降男性の陰茎はパンツ内では下向きになっている傾向があり、これに対応するためにカンガルーポケットの下部分は袋状にしてあり、その位置に格納できる。（図８）【００１５】陰茎が常時上向きになる男性用に、カンガルーポケット下部分の袋は陰嚢を包んでいる部分にスナップ等でジョイントすることでスマート化できる。（図７の１２と１３を接続）【００１６】陰茎が上向きに置くことのできる人は、チョイ漏れでも身体を尿で濡れることがない。【００１７】陰茎が下向きになってしまう人は、チョイ漏れで陰嚢、太もも部分を尿で濡れることがない。【００１８】元気な人は夢精することもあり、上向き・下向きであってもパンツの布が液を吸収するので、身体をベトベトになることがない。【００１９】チョイ漏れする人向けにはガンガルーポケットの内側に薄い尿吸収パットを付けることでＱｕｉｋパンツを濡らすことを回避できるようになった。（図７の１７、図８の１７）
【図面の簡単な説明】
【００２０】
【図１】ボクサー型Ｑｕｉｋパンツの正面図
【図２】ブリーフ型Ｑｕｉｋパンツツの正面図
【図３】ボクサー型Ｑｕｉｋパンツを２つに分解した図で、カンガルーポケットのファルナーが開いた状態の図
【図４】ボクサー型Ｑｕｉｋパンツの本体部分
【図５】カンガルーポケットの表側図
【図６】カンガルーポケットの裏側図
【図７】Ｑｕｉｋパンツと人体の側面で、陰茎が上に位置している図
【図８】Ｑｕｉｋパンツと人体の側面で、陰茎が下に位置している図
【符号の説明】
【００２１】  １  Ｑｕｉｋパンツの全体の正面図
２  Ｑｕｉｋパンツのウエストベルト（ゴムで伸縮）
３  ボクサー型Ｑｕｉｋパンツの本体
４  カンガルーポケット
５  カンガルーポケットの上部端にゴムを入れてある部分（点線部分）
６  Ｑｕｉｋパンツ本体とカンガルーポケットを縫い合わせた部分
７  陰嚢を格納する袋
８  カンガルーポケットの後方にある陰茎を通すパンツ本体側にある穴
９  カンガルーポケットをパンツ本体のベルト部分に縫い合わせた部分
１０  ファスナー、スライダーを上に移動させると開く
１１  カンガルーポケットの裏側にある陰茎を格納できるサブ・ポケット
１２  カンガルーポケットの下部分と本体の陰嚢袋をジョイントさせる前者部分の金具（凹スナップ等）
１３  カンガルーポケットの下部分と本体の陰嚢袋をジョイントさせる後者部分の金具（凸スナップ等）
１４  カンガルーポケットの内側のサブ・ポケットの上部端辺は、本体と縫い合わせてある
１５  上向き状態の陰茎の場合で、カンガルーポケットの上部半分に格納している図
１６  下向き状態の陰茎の場合で、カンガルーポケット下部分にある袋（サブ・ポケット）の中に格納している図
１７  薄い尿吸収パット（図７の１７を点線で表現）
【図１】
0003203849.tif 000003
【図２】
0003203849.tif 000004
【図３】
0003203849.tif 000005
【図４】
0003203849.tif 000006
【図５】
0003203849.tif 000007
【図６】
0003203849.tif 000008
【図７】
0003203849.tif 000009
【図８】
0003203849.tif 000010